(57)【要約】【課題】選択されたブロックのリンク先の情報を順次表示する制御を行う表示制御装置、表示制御システム、表示制御方法、およびプログラムを提供すること【解決手段】本発明は、少なくとも一つ以上のリンクを含み、情報が表示されるブロックを少なくとも一つ以上表示する制御を行い、選択されたブロックのリンク先の複数の情報を順次表示する制御を行うことを特徴とする表示制御方法である。【選択図】図１
2010205169.tif 000002
【特許請求の範囲】
【請求項１】
少なくとも一つ以上のリンクを含み、情報が表示されるブロックを少なくとも一つ以上表示する制御を行い、選択されたブロックのリンク先の複数の情報を順次表示する制御を行うことを特徴とする表示制御方法。
【請求項２】
前記ブロックとリモコンの所定のボタンとが対応づけられており、
前記リモコンの所定のボタンが押下されると、対応づけられているブロックが選択される制御を行うことを特徴とする請求項１に記載の表示制御装方法。
【請求項３】
前記ブロックと前記リモコンのボタンとの対応を示す情報を表示する制御を行うことを特徴とする請求項２に記載の表示制御方法。
【請求項４】
前記ブロックとタッチパネルの所定の領域とが対応づけられており、前記タッチパネルの所定の領域が押下されると、対応づけられているブロックが選択される制御を行うことを特徴とする請求項１に記載の表示制御方法。
【請求項５】
前記順次表示される情報を、入力された静止命令に応答して静止する制御を行うことを特徴とする請求項１から請求項４のいずれかに記載の表示制御方法。
【請求項６】
前記順次表示される情報を、入力された切り替え命令に応答して、現在表示されている情報の前に表示されていた情報又は現在表示されている情報の後に表示される情報に切り替える制御を行うことを特徴とする請求項１から請求項５のいずれかに記載の表示制御方法。
【請求項７】
前記順次表示される情報を表示する優先度の条件又は前記順次表示される情報を表示する時間の条件に基づいて、表示する制御を行うことを特徴とする請求項１から請求項６のいずれかに記載の表示制御方法。
【請求項８】
少なくとも一つ以上のリンクを含み、情報が表示されるブロックを少なくとも一つ以上表示する制御を行い、選択されたブロックのリンク先の複数の情報を順次表示する制御手段を有することを特徴とする表示制御システム。
【請求項９】
前記制御手段は、前記ブロックとリモコンの所定のボタンとの対応関係を記憶しており、
前記リモコンのボタンが押下されると、前記ボタンに対応づけられているブロックを選択することを特徴とする請求項８に記載の表示制御装システム。
【請求項１０】
前記ブロックと前記リモコンのボタンとの対応を示す情報を表示する対応情報表示手段を更に有することを特徴とする請求項９に記載の表示制御システム。
【請求項１１】
前記制御手段は、前記ブロックとタッチパネルの所定の領域との対応関係を記憶しており、前記タッチパネルの所定の領域が押下されると、前記領域に対応づけられているブロックを選択することを特徴とする請求項８に記載の表示制御システム。
【請求項１２】
前記制御手段は、前記順次表示される情報を、入力された静止命令に応答して静止する制御を行うことを特徴とする請求項８から請求項１１のいずれかに記載の表示制御システム。
【請求項１３】
前記制御手段は、前記順次表示される情報を、入力された切り替え命令に応答して、現在表示されている情報の前に表示されていた情報又は現在表示されている情報の後に表示される情報に切り替える制御を行うことを特徴とする請求項８から請求項１２のいずれかに記載の表示制御システム。
【請求項１４】
前記順次表示される情報を表示する優先度の条件又は前記順次表示される情報を表示する時間の条件を記憶する表示条件記憶部を更に有し、
前記制御手段は前記表示条件記憶部に格納されている条件に基づいて、表示する制御を行うことを特徴とする請求項８から請求項１３のいずれかに記載の表示制御システム。
【請求項１５】
少なくとも一つ以上のリンクを含み、情報が表示されるブロックを少なくとも一つ以上表示する制御を行い、選択されたブロックのリンク先の複数の情報を順次表示する制御手段を有することを特徴とする表示制御装置。
【請求項１６】
少なくとも一つ以上のリンクを含み、情報が表示されるブロックを少なくとも一つ以上表示する制御を行い、選択されたブロックのリンク先の複数の情報を順次表示する制御を行う表示制御処理をコンピュータに実行させることを特徴とする表示制御プログラム。
【発明の詳細な説明】
【技術分野】
【０００１】
本発明は、情報を表示する表示制御装置、表示制御システム、表示制御方法、及び表示制御プログラムに関する。
【背景技術】
【０００２】
近年、パソコンを用いて情報を表示する技術が多数提供されているが、お年寄りを始めとするパソコン操作に不慣れなユーザにとって、キーボードやマウス等を用いての表示操作は使いづらいものであった。
【０００３】
特許文献１には、キーボードやマウスを使ってのパソコン操作に不慣れなユーザでも、リモコンを用いて、テレビのチャンネルを切替えるのと同様の感覚で各種コンテンツを選択して表示を切り替える技術が開示されている。
【先行技術文献】
【特許文献】
【０００４】
【特許文献１】特開２００６−２６８８６３
【発明の概要】
【発明が解決しようとする課題】
【０００５】
上記特許文献１に係る発明では、ユーザが所望する情報を表示させるにあたって、リンクを一つずつリモコンで選択して、所望の情報を自ら探さなければならなかった。故に、情報が多岐に渡る場合には、多数あるリンクをリモコン操作で１つずつ選択した上でコンテンツを表示させなければならず、作業が煩雑になりユーザにかかる負担が大きいといった問題があった。
【０００６】
そこで、本発明が解決しようとする課題は上記問題点を解決する技術を提供することであり、少ない操作でユーザが所望する情報を表示する技術を提供することである。
【課題を解決するための手段】
【０００７】
上記課題を解決する本発明は、少なくとも一つ以上のリンクを含み、情報が表示されるブロックを少なくとも一つ以上表示する制御を行い、選択されたブロックのリンク先の複数の情報を順次表示する制御を行うことを特徴とする表示制御方法である。
【０００８】
上記課題を解決する本発明は、少なくとも一つ以上のリンクを含み、情報が表示されるブロックを少なくとも一つ以上表示する制御を行い、選択されたブロックのリンク先の複数の情報を順次表示する制御手段を有することを特徴とする表示制御システムである。
【０００９】
上記課題を解決する本発明は、少なくとも一つ以上のリンクを含み、情報が表示されるブロックを少なくとも一つ以上表示する制御を行い、選択されたブロックのリンク先の複数の情報を順次表示する制御手段を有することを特徴とする表示制御装置である。
【００１０】
上記課題を解決する本発明は、少なくとも一つ以上のリンクを含み、情報が表示されるブロックを少なくとも一つ以上表示する制御を行い、選択されたブロックのリンク先の複数の情報を順次表示する制御を行う表示制御処理をコンピュータに実行させることを特徴とする表示制御プログラムである。
【発明の効果】
【００１１】
本発明によると、お年寄りを始めとするパソコンに不慣れなユーザに、直観的かつ少ない操作で関連付けられたより多くの情報を提供できるという優れた効果を奏する。
【図面の簡単な説明】
【００１２】
【図１】本発明の実施の形態１の表示制御システムの構成図である。
【図２】本発明のリンクの構造を説明するための図である。
【図３】本発明の実施の形態の表示の状態遷移図である。
【図４】本発明の実施の形態２の表示制御システムの構成図である。
【図５】本発明の実施の形態６の表示制御システムの構成図である。
【図６】本発明の実施の形態６で用いるリモコンの一例である。
【図７】表示デバイスに表示されているブロックと、本発明の実施の形態６で用いるリモコンの所定のボタンとの対応関係を示す図である。
【図８】本発明の表示デバイスに表示するブロックの例である。
【図９】本発明の実施の形態５の表示制御システムの構成図である。
【図１０】表示デバイスに表示されているブロックと、本発明の実施の形態５で用いるタッチパネルの所定の領域との対応関係を示す図である。
【図１１】本発明の実施の形態７の表示制御システムの構成図である。
【図１２】本発明の実施の形態３の静止命令又は切り替え命令を入力するためのボタンをリモコンに適用した場合の一例である。
【図１３】本発明の実施の形態３の画面遷移図である。
【図１４】本発明の実施の形態４の表示制御システムの構成図である。
【図１５】本発明の実施の形態５に本発明の実施の形態３を適用したシステムの構成図である。
【図１６】本発明の実施の形態７のブロックとリモコンの所定のボタンとの対応を示す情報を表示デバイスに表示した一例である。
【発明を実施するための形態】
【００１３】
（実施の形態１）
図１は本発明の実施の形態１の表示制御システムの構成図である。
【００１４】
図１に示すように、本発明の表示制御システムは、端末１００と表示デバイス２００とを有する。端末１００は、表示制御部１と情報記憶部３００とを有する。表示制御部１は、情報記憶部３００に記憶されている閲覧対象の各種情報を表示デバイス２００に表示する表示制御を行う。表示デバイス２００は、表示制御部１の制御に基づいて、閲覧対象の情報が表示される。表示デバイス２００は、例えばディスプレイ等の表示装置である。
【００１５】
ここで、表示制御部１が行う表示制御処理について説明する。
【００１６】
表示制御部１は、図３（状態Ａ−１）に示すような、閲覧情報を表示させるためのブロックが配置されたトップページを、情報記憶部３００から読み出して表示させる。このトップページの各ブロックには、閲覧対象の情報がリンクされている。そして、各ブロックがどういう内容の閲覧対象の情報にリンクされているかを表す情報がブロックに表示されている。
【００１７】
図２は、リンクの構造を説明するための図である。尚、以下の説明では、図８の（Ａ）に示されるように、９個のブロックが配置されている場合を用いて説明するが、図８（Ｃ）のように少なくとも１以上のブロックが配置されていれば良い。また、全てのブロックが同一の形や大きさでなくても良く、図８（Ｂ）に示されるように、各ブロックの形や大きさが異なっていても良い。また、表示デバイス２００全域を使用せず、図８（Ｄ）のように各ブロックをボタンに見立てたような形状で配置しても良い。
【００１８】
例えば、図２に示すとおり、トップページの９つのブロック各々には、「お知らせ」、「観光」、「天気予報」、「○○市の財政状況」、「○○市の活動情報」、「福祉」、「文化・スポーツ」、「市役所のご案内」、及び「市長からのメッセージ」の閲覧対象の情報へのリンクが貼られているとする。また、「お知らせ」の閲覧対象の情報には更に「イベントニュース」、「健康診断のお知らせ」、及び「今月の公報」の３つの閲覧対象の情報へのリンクが貼られ、「イベントニュース」の閲覧対象の情報には更に「セミナーのお知らせ」、及び「催事情報」の２つの閲覧対象へのリンクが貼られているとする。この場合、表示制御部１は、「お知らせ」のブロックが選択されると、そのブロックのリンク先である「イベントニュース」、「健康診断のお知らせ」、及び「今月の公報」の３つの閲覧対象の情報と、これらの各閲覧対象の情報の更なるリンク先である「セミナーのお知らせ」、及び「催事情報」の２つの閲覧対象の情報とをリンク情報に従って情報記憶部３００から取得して、順次表示させる。
【００１９】
次に、表示デバイス２００に情報を表示する具体的な動作について図３を用いて説明する。尚、リンクの構造は、図２に示されている一例を用いて説明する。
【００２０】
表示制御部１は、図３Ａ−１に示されるように、表示デバイス２００に９つのブロックが配置されたトップページを表示する。この９つのブロックには、リンク先に関する情報が表示されている。
【００２１】
ユーザは、各ブロック上に示されている、リンク先に関する情報を確認して、所望の情報がリンクされているブロックを入力装置を用いて選択する。
【００２２】
例えば、図３Ａ−１の左上の太い線で囲まれた「お知らせ」に関する閲覧対象の情報がリンクされているブロックが選択されたとする。
【００２３】
まず、表示制御部１の信号解析部（図示せず）は、選択されたブロックのリンク先を解析する。次に、表示制御部１の情報取得部は、解析結果に基づいて、情報記憶部３００から「お知らせ」のリンク先の閲覧対象の情報を取得する。表示制御部１の映像信号生成部（図示せず）は、取得した情報を表示デバイス２００に表示する（図３Ａ−２）。
【００２４】
「お知らせ」の閲覧対象の情報を取得後、信号解析部は更なるリンク先があるかを解析する。図２に示されている例では「お知らせ」の閲覧対象の情報には、更なるリンクが張られている。そのため、情報取得部は、情報記憶部３００からリンク先の閲覧対象の情報を取得する。ここでは、「お知らせ」には、「イベントニュース」、「健康診断のお知らせ」、「今月の公報」がリンクされている。従って、まず「イベントニュース」の閲覧対象の情報を取得して表示する（図３Ａ−３）。
【００２５】
信号解析部は更なるリンク先があるかを解析する。図２に示されている例では「イベントニュース」の閲覧対象の情報には、「セミナーのお知らせ」及び「催事情報」の閲覧対象の情報へのリンクが張られている。そのため、情報取得部は、リンク先である「セミナーのお知らせ」及び「催事情報」の閲覧対象の情報を情報記憶部３００から取得して順次表示する（図３Ａ−４及びＡ−５）。
【００２６】
信号解析部は更なるリンク先があるかを解析する。「セミナーのお知らせ」及び「催事情報」には、リンク先が存在しないため、信号解析部が「お知らせ」で解析したリンク中の残りのリンク「健康診断のお知らせ」及び「今月の公報」についても、上記同様にリンク先を解析して、そのリンク先の閲覧対象の情報を取得して順に表示する。
【００２７】
「健康診断のお知らせ」の閲覧対象の情報が表示されると、信号解析部は更なるリンク先があるかを解析する。図２に示されている例では「健康診断のお知らせ」の閲覧対象の情報には、「３０歳以下」、「３０〜６０歳」及び「６０歳以上」の閲覧対象の情報へのリンクが貼られている。そのため、情報取得部はリンク先である「３０歳以下」、「３０〜６０歳」及び「６０歳以上」の閲覧対象の情報を情報記憶部３００から取得して順次表示する（図３Ａ６〜Ａ９）。
【００２８】
信号解析部は更なるリンク先があるかを解析する。「３０歳以下」、「３０歳〜６０歳」及び「６０歳以上」には、リンク先が存在しないため、信号解析部が「お知らせ」で解析したリンク中の残りのリンク「今月の公報」についても、上記同様にリンク先を解析して、そのリンク先の閲覧対象の情報を取得して順に表示する。
【００２９】
「今月の公報」に関する閲覧対象の情報が表示されると、信号解析部は更なるリンク先があるかを解析する。図２に示されている例では、「今月の公報」の閲覧対象の情報には、リンクが貼られていない（図３Ａ−１０）。
【００３０】
信号解析部は更なるリンク先があるかを解析する。「お知らせ」に貼られているリンク情報はすべて表示されたので、信号解析部は、「お知らせ」に貼られているリンク情報はすべて表示されたとみなし、トップページに戻る（図３Ａ−１）。
【００３１】
本実施の形態からわかるように、ユーザはトップページにおいて、各ブロック上に示されている、リンク先に関する情報を確認して、所望の情報がリンクされているブロックを選択する以外の操作をすることなく、選択した各ブロックと対応づけられている関連するより多くの情報を取得して表示することができる。
【００３２】
尚、本実施の形態では、表示制御部に信号解析部、情報取得部、映像信号生成部を含む例を用いて説明したが、これに限ることなく、情報記憶部３００から、選択されたブロックのリンク先の情報を取得し、表示デバイス２００に表示できれば、どのような構成であっても良い。
【００３３】
本実施の形態によると、表示デバイスに閲覧対象の情報がリンクされたブロックを配置し、いずれかのブロックが選択されると、該ブロックに対応づけられた閲覧対象の情報が順次表示される構成なので、お年寄りを始めとするパソコンに不慣れなユーザに、直観的かつ少ない操作で関連付けられたより多くの情報を提供することができる。
【００３４】
（実施の形態２）
実施の形態１では、情報記憶部が端末内に構成されている場合を用いて説明した。本実施の形態では、情報記憶部が端末とネットワークを介して接続されているサーバに構成されている場合について説明する。
【００３５】
図４は本発明の実施の形態２の表示制御システムの構成図である。
【００３６】
図４に示すように、本発明の表示制御システムは、端末１００と表示デバイス２００と情報記憶部３００とを有する。端末１００は、表示制御部１を有し、インターネット等のネットワークに接続可能な環境にある。情報記憶部３００はネットワーク上に配置されており、端末１００と情報記憶部３００とはインターネット等のネットワークで接続されている。
【００３７】
動作については、実施の形態１と同様であるため、説明を省略する。
【００３８】
実施の形態２は、情報記憶部をネットワーク上に配置しているので、複数のユーザが情報記憶部を共有することができる。
【００３９】
（実施の形態３）
上記実施の形態では、閲覧対象の情報を順次表示する場合について説明した。本実施の形態では、静止命令又は切り替え命令に応答して、順次表示されている情報の静止又は順次表示されている情報の切り替えを行う場合について説明する。静止命令は、例えば一時停止や停止等を含み、切り替え命令は、例えば戻るや進む等が考えられる。
【００４０】
映像信号生成部は、ユーザによって入力装置を用いて、静止命令又は切り替え命令を示す指示が入力されると、静止命令又は切り替え命令に対応する信号を生成する。
【００４１】
次に、本実施の形態の動作について説明する。図１３は図３Ａ−１の左上の太い線で囲まれた「お知らせ」の閲覧対象の情報がリンクされているブロックが選択された場合の例において、進むを示す指示／戻るを示す指示が入力された場合の画面遷移図を示している。例えば、「お知らせ」の閲覧対象の情報が表示されている最中に、進むを示す指示が入力された場合は、「イベントニュース」の閲覧対象の情報を表示する。「イベントニュース」の閲覧対象の情報が表示されている最中に、戻るを示す指示が入力された場合は「お知らせ」の閲覧対象の情報を表示する。「お知らせ」に貼られているリンク情報のうち、最後に表示される情報である「今月の公報」の閲覧対象の情報が表示されている最中に、進むを示す指示が入力された場合は、トップページに戻るようにしても良い。
【００４２】
「お知らせ」の閲覧対象の情報が表示されている最中に、一時停止を示す指示が入力された場合、表示制御部１は、表示デバイス２００に「お知らせ」の閲覧対象の情報が表示されている状態で、順次表示機能を一時停止する。順次表示機能が一時停止されている状態で、再生を示す指示が入力された場合、表示制御部１は順次表示機能を再開する。
【００４３】
実施の形態３は、一時停止を示す指示の入力ができる構成なので、ユーザは表示時間を気にすることなく表示デバイス２００に表示されている情報を熟読することができ、便利である。また、進むを示す指示／戻るを示す指示の入力ができる構成なので、ユーザにとって有用でない情報が表示されている場合や、ユーザが直前に表示されていた情報を再度閲覧したい場合に、情報をすぐに表示することができ、便利である。
【００４４】
（実施の形態４）
本実施の形態では、上記実施の形態に、表示デバイスに順次表示される情報を表示する優先度又は表示デバイスに順次表示される情報を表示する時間の条件を記憶する表示条件記憶部を含む構成について説明する。表示デバイスに順次表示される情報を表示する優先度は、例えば表示階層最大値、表示順序又は表示内容等が考えられる。これらの表示条件の詳細については、後述する。
【００４５】
図１４は本発明の実施の形態４の表示制御システムの構成図である。
【００４６】
図１４に示すように、本発明の表示制御システムは、実施の形態１に加えて、順次表示される情報を表示デバイス２００に表示する優先度の条件又は順次表示される情報を表示デバイス２００に表示する時間の条件（以下、表示条件と略す）を記憶する表示条件記憶部４を端末１００に含む。
表示条件を設定するための表示条件設定画面を表示デバイス２００に表示する指示が入力されると、図１４に示すように、表示デバイス２００に表示条件設定画面が表示される。
【００４７】
各表示条件は入力装置が出力する所定の指示と対応づけられている。例えばユーザによって入力装置を用いて、表示階層最大値の設定を示す指示が入力されると、映像信号生成部は、表示階層最大値を設定できる状態にして設定画面を表示する。表示階層最大値が設定可能な状態で、ユーザによって入力装置を用いて、詳細な表示階層最大値の設定を示す指示が入力されると、信号解析部は、入力装置が出力する所定の指示の識別情報に基づいて、詳細な表示階層最大値の設定を示す指示を解析し、表示制御部１の登録部（図示せず）は、表示条件記憶部４に記憶されている表示階層最大値を更新する。
【００４８】
また、ユーザによって入力装置を用いて、表示順序の設定を示す指示が入力されると、映像信号生成部は、表示順序を設定できる状態にして設定画面を表示する。表示順序が設定可能な状態で、ユーザによって入力装置を用いて、詳細な表示順序の設定を示す指示が入力されると、信号解析部は、入力装置が出力する所定の指示の識別情報に基づいて、詳細な表示順序の設定を示す指示を解析し、登録部は、表示条件記憶部４に記憶されている表示順序を更新する。
【００４９】
同様に、ユーザによって入力装置を用いて、表示内容の設定を示す指示が入力されると、映像信号生成部は、表示内容を設定できる状態にして設定画面を表示する。表示内容が設定可能な状態で、ユーザによって入力装置を用いて、詳細な表示内容の設定を示す指示が入力されると、信号解析部は、入力装置が出力する所定の指示の識別情報に基づいて、詳細な表示内容の設定を示す指示を解析し、登録部は、表示条件記憶部４に記憶されている表示内容を更新する。
【００５０】
表示デバイス２００に表示条件設定画面が表示されている状態でユーザによって入力装置を用いて、表示条件の登録を示す指示が入力されると、表示条件設定画面で設定した内容が表示条件記憶部４に反映される。表示制御部は、表示デバイス２００に表示されている表示条件設定画面を閉じ、表示デバイス２００にトップページを表示する。表示デバイス２００に表示条件設定画面が表示されている状態でユーザによって入力装置を用いて、キャンセルを示す指示が入力されると、表示条件設定画面で設定した内容は表示条件記憶部に反映されない。表示制御部は、表示デバイス２００に表示されている表示条件設定画面を閉じ、表示デバイス２００にトップページを表示する。
【００５１】
以下で、上述の例における表示条件について詳述する。
【００５２】
まず、表示階層最大値について説明する。情報にはリンクが貼られており、情報は階層化されている。情報（階層１）に貼られているリンク先の情報（階層２）に更に貼られているリンク先の情報（階層３）に更にリンクが貼られている（階層４）といったように、情報が複数の階層から構成される場合に、全ての情報を表示するのに時間を要する。そこで、表示条件設定画面で、ユーザが閲覧を希望する階層の深さを設定できるようにしておく。例えば、表示条件記憶部に記憶されている表示階層最大値に「３」が設定されている場合、表示制御部は順次表示を行う際に階層３より下の階層については表示を行わない。
【００５３】
次に、表示順序について説明する。表示条件設定画面で、複数階層から構成されている情報を上位階層から表示するか、下位階層から表示するかといった表示順序を設定できるようする。表示制御部は、表示条件記憶部に記憶されている表示順序に「上位階層から表示」が設定されている場合は、階層１→階層２→階層３→階層４のように、上位階層から順番に表示し、「下位階層から表示」が設定されている場合は、階層４→階層３→階層２→階層１のように下位階層から順番に表示する。
【００５４】
尚、表示順序はこれに限らず、階層が１の情報をすべて表示→階層が２情報をすべて表示→階層が３の情報をすべて表示→階層が４の情報をすべて表示といったように、上位階層の情報を優先して表示するようにしても良い。
【００５５】
また、階層が１の情報を一画面に並列で表示→階層が２の情報を一画面に並列で表示→階層が３の情報を一画面に並列で表示→階層が４の情報を一画面に並列で表示といったように、同一階層の情報を一画面に並列で表示するようにしても良い。
【００５６】
次に、表示内容について説明する。情報記憶部に記憶されている情報のうち、どの情報が新しく更新された情報なのか、情報記憶部が管理できる構成にしておく。さらに、表示条件設定画面で、すべての情報を表示するか、新しく更新された情報を表示するかといった表示内容を設定できるようにする。表示条件記憶部に記憶されている表示内容に「すべて」が設定されている場合は、表示制御部は、情報記憶部に記憶されている情報のうち、選択されたブロックと対応付けられている情報をすべて表示する。表示条件記憶部に記憶されている表示内容に「新規情報」が設定されている場合は、表示制御部は、情報記憶部に記憶されている情報のうち、選択されたブロックと対応づけられている情報すべてを表示せず、新しく更新された情報を表示する。尚、本例では、表示条件記憶部に表示内容を記憶させておく方法を示したが、表示条件記憶部に表示内容を記憶させるのではなく、入力装置を新規を示す指示を入力できる構成とし、入力装置で新規を示す指示が入力されると、現在表示されている閲覧対象の情報のうち新規で更新された情報を表示する画面に切り替えるようにしても良い。
【００５７】
また、表示条件については、上述した表示階層最大値、表示順序、表示内容に限ることなく、例えば情報を表示する時間等の条件を設定できるようにしても良い。
【００５８】
尚、本実施の形態では、実施の形態１に適用する構成を用いて説明したが、これに限らず、他の実施の形態に適用する構成としても良い。また、表示条件記憶部は、端末とネットワークを介して接続されているサーバに構成されていても良い。
【００５９】
本実施の形態によると、情報の概要を収集したい場合は、表示階層最大値を浅く設定し、詳細な情報まで収集したい場合は、表示階層最大値を深く設定することができる。また、情報の概要から先に閲覧したい場合は、表示順序を上位階層から表示に設定し、詳細な情報から先に閲覧したい場合は、表示順序を下位階層から表示に設定することができる。また、すべての情報を閲覧したい場合は、すべてを設定し、新しく更新された情報を閲覧したい場合は、新規情報を設定することができる。つまり、ユーザの使用する状況又は目的に基づいて表示を行うことができる。
【００６０】
（実施の形態５）
本実施の形態では、上記実施の形態のブロックを選択する装置としてタッチパネルを用いる場合について説明する。
【００６１】
図９は本発明の実施の形態５の表示制御システムの構成図である。
【００６２】
図９に示すように、本発明の表示制御システムは、実施の形態１に加えて、表示デバイス２００の表示画面上にタッチパネルデバイス４００が設置されている。このタッチパネルデバイスにより、ユーザは表示されているブロックを押下することでブロックを選択することができる。
【００６３】
本実施の形態の端末では、タッチパネルの座標位置と表示デバイス２００に表示されているブロックとを対応付けて記憶していることにより閲覧の操作を行えるようにしている。
【００６４】
次に、タッチパネルの座標位置と表示デバイスのブロックとの対応の一例を図１０に示す。
【００６５】
例えば、タッチパネルのｘ座標が０〜３００の範囲内かつタッチパネルのｙ座標が０〜１５０の範囲内がタッチされた場合は、信号解析部は、表示デバイスに表示されているブロックのうち、識別情報が１のブロックが選択されたものとみなす。
【００６６】
タッチパネルのｘ座標が３００〜６００の範囲内かつタッチパネルのｙ座標が０〜１５０の範囲内がタッチされた場合は、信号解析部は、表示デバイスに表示されているブロックのうち、識別情報が２のブロックが選択されたものとみなす。
【００６７】
タッチパネルのｘ座標が６００〜９００の範囲内かつタッチパネルのｙ座標が０〜１５０の範囲内がタッチされた場合は、信号解析部は、表示デバイスに表示されているブロックのうち、識別情報が３のブロックが選択されたものとみなす。
【００６８】
タッチパネルのｘ座標が０〜３００の範囲内かつタッチパネルのｙ座標が１５０〜３００の範囲内がタッチされた場合は、信号解析部は、表示デバイスに表示されているブロックのうち、識別情報が４のブロックが選択されたものとみなす。
【００６９】
タッチパネルのｘ座標が３００〜６００の範囲内かつタッチパネルのｙ座標が１５０〜３００の範囲内がタッチされた場合は、信号解析部は、表示デバイスに表示されているブロックのうち、識別情報が５のブロックが選択されたものとみなす。
【００７０】
タッチパネルのｘ座標が６００〜９００の範囲内かつタッチパネルのｙ座標が１５０〜３００の範囲内がタッチされた場合は、信号解析部は、表示デバイスに表示されているブロックのうち、識別情報が６のブロックが選択されたものとみなす。
【００７１】
タッチパネルのｘ座標が０〜３００の範囲内かつタッチパネルのｙ座標が３００〜４５０の範囲内がタッチされた場合は、信号解析部は、表示デバイスに表示されているブロックのうち、識別情報が７のブロックが選択されたものとみなす。
【００７２】
タッチパネルのｘ座標が３００〜６００の範囲内かつタッチパネルのｙ座標が３００〜４５０の範囲内がタッチされた場合は、信号解析部は、表示デバイスに表示されているブロックのうち、識別情報が８のブロックが選択されたものとみなす。
【００７３】
タッチパネルのｘ座標が６００〜９００の範囲内かつタッチパネルのｙ座標が３００〜４５０の範囲内がタッチされた場合は、信号解析部は、表示デバイスに表示されているブロックのうち、識別情報が９のブロックが選択されたものとみなす。
【００７４】
尚、本実施の形態では、実施の形態１の構成のシステムに情報閲覧操作を行うための選択手段としてのタッチパネルを適用したが、実施の形態２の構成のシステムに適用するようにしても良い。
【００７５】
また、図９に示すように、本実施の形態の表示デバイス２００の表示画面に実施の形態３で説明した一時停止／再生ボタン、進むボタン、戻るボタンを設けるようにしても良い。一時停止を示す指示／再生を示す指示、進むを示す指示、戻るを示す指示と表示デバイス２００に表示されている一時停止／再生ボタン、進むボタン、戻るボタンの座標位置とを各々対応づけることで、一時停止／再生、進む、戻る機能を実行することができる。尚、表示デバイス２００に表示されている各ボタンと所定の指示との対応については、上述した方法と同様の方法を用いるため、説明は省略する。
【００７６】
また、本実施の形態の端末１００に実施の形態４で説明した表示条件記憶部４を設け、表示デバイス２００に表示条件設定用のボタンを配置し、本実施の形態のタッチパネル方式を用いて表示条件の設定ができるようにしても良い。尚、表示デバイス２００に表示されている各ボタンと所定の指示との対応については、上述した方法と同様の方法を用いるため、説明は省略する。
【００７７】
本実施の形態の動作の具体的な例を図１０を用いて説明する。
【００７８】
例えば、タッチパネルの(３５０,２５０)を座標点がタッチされると、信号受信部はタッチパネル上の押下された座標位置を信号解析部に通知する。すると、信号解析部は、信号受信部から受け取った信号を解析し、押下された座標位置と表示デバイス２００に表示されているブロックとの対応関係を調べるために、該解析結果で図１０に示されるタッチパネルの座標位置と表示デバイスに表示されているブロックの識別情報との対応ファイルを検索する。この例では、x座標の３５０は、図１０に示される対応ファイルの「タッチパネルのｘ座標位置」の３００〜６００の間であり、y座標の２５０は、図１０に示される対応ファイルの「タッチパネルのｙ座標位置」の１５０〜３００の間である。よって、信号解析部は、表示デバイスに表示されているブロックうち、識別情報が５のブロックが選択されたとみなす。
【００７９】
ブロック選択後の処理については、実施の形態１と同様であるため、説明を省略する。
【００８０】
実施の形態５は、表示画面上のタッチパネルを用いてブロックを選択できる構成なので、お年寄りを始めとするパソコンに不慣れなユーザでも、直観的に操作することができる。
【００８１】
（実施の形態６）
本実施の形態では、上記実施の形態のブロックを選択する装置としてリモコンを用いる場合について説明する。
【００８２】
図５は本発明の実施の形態６の表示制御システムの構成図である。
【００８３】
図５に示すように、本発明の表示制御システムは、実施の形態１に加えて、リモコンが適用されている。
【００８４】
リモコン２は、端末１００での情報閲覧操作を行うための選択手段である。
【００８５】
図６は本発明の実施の形態６で用いるリモコンの一例である。本実施の形態の端末では、リモコン２の１〜９の各数字ボタンと表示デバイス２００に表示されている各ブロックとが対応づけられて記憶されている。これにより、リモコンの各数字ボタンが押下されると、該ボタンと対応づけられているブロックが選択された状態となる。
【００８６】
次に、リモコン２の各数字ボタンと表示デバイス２００に表示されている各ブロックとの対応について、具体的な例を図７を用いて説明する。図７に示す対応表のリモコンの数字ボタンは、リモコンのボタンを一意に識別する識別情報である。信号解析部は、リモコンの数字ボタン１は識別情報が１のブロックと対応づけられているとみなす。信号解析部は、リモコンの数字ボタン２は識別情報が２のブロックと対応づけられているとみなす。信号解析部は、リモコンの数字ボタン３は識別情報が３のブロックと対応づけられているとみなす。信号解析部は、リモコンの数字ボタン４は識別情報が４のブロックと対応づけられているとみなす信号解析部は、リモコンの数字ボタン５は識別情報が５のブロックと対応づけられているとみなす。信号解析部は、リモコンの数字ボタン６は識別情報が６のブロックと対応づけられているとみなす。信号解析部は、リモコンの数字ボタン７は識別情報が７のブロックと対応づけられているとみなす。信号解析部は、リモコンの数字ボタン８は識別情報が８のブロックと対応づけられているとみなす。信号解析部は、リモコンの数字ボタン９は識別情報が９のブロックと対応づけられているとみなす。
【００８７】
尚、本実施の形態では、実施の形態１の構成のシステムに、情報閲覧操作を行うための選択手段としてのリモコンを適用したが、実施の形態２の構成のシステムに適用するようにしても良い。
【００８８】
また、本実施の形態では、数字ボタンを有するリモコンを用いて説明したが、これに限らず、リモコンのボタンとブロックとが対応付けられていれば、例えば方向キー等を用いたリモコンを使用しても良い。
【００８９】
また、図１２に示すように、本実施の形態のリモコンに実施の形態３で説明した一時停止／再生ボタン、進むボタン、戻るボタンを設けるようにしても良い。一時停止を示す指示／再生を示す指示、進むを示す指示、戻るを示す指示とリモコンの一時停止／再生ボタン、進むボタン、戻るボタンとを各々対応づけることで、一時停止／再生、進む、戻る機能を実行することができる。尚、ボタンとリモコンの各ボタンとの対応については、上述した方法と同様の方法を用いるため、説明は省略する。
【００９０】
また、本実施の形態の端末１００に実施の形態４で説明した表示条件記憶部４を設け、リモコンの各ボタンと表示条件を設定するための所定の指示を示す信号とを対応づけて、本実施の形態のリモコンを用いて表示条件の設定ができるようにしても良い。尚、リモコンの各ボタンと所定の指示との対応については、上述した方法と同様の方法を用いるため、説明は省略する。
【００９１】
次に具体的な動作について説明する。
【００９２】
例えば、リモコンの数字ボタン１が押下されると、信号受信部は押下されたリモコンのボタンの識別情報を信号解析部に通知する。すると、信号解析部は、信号受信部から受け取った信号を解析し、該解析結果に基づいて、図７に示すリモコンの各ボタンと表示デバイスに表示されている各ブロックとの対応関係を表すファイルを検索する。この例では、信号解析部は、リモコンの数字ボタン１は識別情報が１のブロックと対応づけられているため、１のブロックが選択されたとみなす。
【００９３】
以降の処理については、実施の形態１と同様のため、説明を省略する。
【００９４】
尚、表示デバイス２００にリモコンの数字ボタン１に対応する情報を表示している最中に、リモコンの数字ボタン２が押下された場合は、現在表示されているリモコンの数字ボタン１に対応する情報の表示を終了し、リモコンの数字ボタン２に対応する情報を表示デバイスに表示するようにしても良い。
【００９５】
実施の形態６は、リモコンを用いて選択できる構成なので、お年寄りを始めとするパソコンに不慣れなユーザでも、テレビを見るような感覚で操作することができる。
【００９６】
（実施の形態７）
本実施の形態では、上記実施の形態に、表示デバイスに表示されている各ブロックとリモコンの各ボタンとの対応を視覚的に認識できる情報（以下、対応情報と略す）を表示する対応情報表示部を含む構成について説明する。
【００９７】
図１１は、端末１００に対応情報表示部３を含む構成とし、対応情報表示部３を用いて、表示デバイス２００に表示されている各ブロックとリモコンの各ボタンとの対応を視覚的に認識できる情報を表示するようにしても良い。
尚、対応情報表示部は、例えばＯｎＳｃｒｅｅｎＤｉｓｐｌａｙ機能を用いても良い。
【００９８】
図１６に、表示デバイス２００に、対応情報を表示する一例を示す。表示デバイス２００の左上に表示されている太い線で囲まれた９つのブロックは対応情報を表示したものである。表示されている対応情報の見方について詳述する。表示されている対応情報の上の段の左のブロックに１と記載されている。これは、表示デバイス２００に表示されているブロックの上の段の左のブロックがリモコンの１と対応していることを示す。また、表示されている対応情報の上の段の真ん中のブロックに２と記載されている。これは、表示デバイス２００に表示されているブロックの上の段の真ん中のブロックがリモコンの２と対応していることを示す。その他のブロックについても上記同様の対応関係であるため、説明を省略する。
【００９９】
尚、本実施例では、対応情報を表示デバイス２００の左上に表示したが、表示する位置はこれに限らない。
【０１００】
尚、本実施の形態では、実施の形態１の構成のシステムを用いて説明したが、他の実施の形態の構成のシステムに適用するようにしても良い。
【０１０１】
実施の形態７は、表示デバイスにリモコンの各ボタンと表示デバイスに表示されている各ブロックとの対応を視覚的に認識できる情報を表示する構成なので、他の実施の形態と比べ、より直観的に操作することができる。
【０１０２】
尚、上記第１の実施の形態から第７の実施の形態で用いた閲覧対象情報は、例えばＷｅｂ（ＨＴＭＬ）や、電子書籍のスタイルシートや、ＤＴＤを用いることで表示可能なＸＭＬ文書や、画像情報や、映像情報等のように、パソコンなどの端末によって表示することが可能な情報が考えられる。
【０１０３】
本発明の制御を実装することにより、少なくとも一つ以上のリンクを含み、情報が表示されるブロックを少なくとも一つ以上表示する制御を行い、選択されたブロックのリンク先の複数の情報を順次表示する制御を行うことができる。
【符号の説明】
【０１０４】
１  表示制御部
２  リモコン
３  対応情報表示部
４  表示条件記憶部
１００  端末
２００  表示デバイス
３００  情報記憶部
４００  タッチパネルデバイス
【図１】
2010205169.tif 000003
【図２】
2010205169.tif 000004
【図３】
2010205169.tif 000005
【図４】
2010205169.tif 000006
【図５】
2010205169.tif 000007
【図６】
2010205169.tif 000008
【図７】
2010205169.tif 000009
【図８】
2010205169.tif 000010
【図９】
2010205169.tif 000011
【図１０】
2010205169.tif 000012
【図１１】
2010205169.tif 000013
【図１２】
2010205169.tif 000014
【図１３】
2010205169.tif 000015
【図１４】
2010205169.tif 000016
【図１５】
2010205169.tif 000017
【図１６】
2010205169.tif 000018